(57)【特許請求の範囲】
【請求項１】
左右方向に揺動することによりガスバーナの火力を調節する火力調節レバーを備え、その火力調節レバーの先端につまみ部材が装着された火力調節装置において、上記火力調節レバーを樹脂で形成し、その火力調節レバーの先端に、先端側から揺動中心に向かって延びる片持ち梁状の係合片を、上下方向に撓むように設けると共に、その係合片の先端の下面に係合突起を形成し、火力調節レバーの先端に上記つまみ部材を装着した状態で、つまみ部材に形成した係合穴にこの係合突起が係合して、つまみ部材が火力調節レバーの先端から脱落しないように構成したことを特徴とする火力調節装置。
【請求項２】
上記係合突起は側面がテーパ面で構成され、火力調節レバーの先端につまみ部材を装着した状態で、上記係合片の復元力によって係合突起のテーパ面が係合穴の周縁に押接させることを特徴とする請求項１に記載の火力調節装置。
【請求項３】
上記火力調節レバーの先端の、つまみ部材によって覆われる範囲の内、揺動中心側に枠部を設け、その枠部内に上記係合片を設けたことを特徴とする請求項１または請求項２に記載の火力調節装置。
【発明の詳細な説明】
【技術分野】
【０００１】
本発明は、左右方向に揺動自在の火力調節レバーを備え、その火力調節レバーの先端につまみ部材が装着された火力調節装置に関する。
【背景技術】
【０００２】
上述のような火力調節装置の火力調節レバーは金属板を板金加工して形成しており、その火力調節レバーの先端に係合穴を形成していた（例えば、特許文献１参照）。そして、つまみ部材を樹脂で中空に形成し、このつまみ部材に形成したスリット状の取付穴に火力調節レバーの先端を挿入すると、つまみ部材の取付穴内に設けた係合突起が火力調節レバーの先端の係合穴に係合して、つまみ部材が火力調節レバーの先端から容易に脱落しないように構成されている。
【０００３】
なお、火力調節倒置はコンロ装置内に組み込まれ、火力調節レバーの先端はコンロ装置の前面パネルに設けた横長の窓部を通って内側から手前側に向かって突出するように配設される。そして、つまみ部材はその突出した火力調節レバーの先端に対して、コンロ装置の外側から装着される。従って、火力調節装置を交換する場合など、つまみ部材を手前側に強く引くと、係合穴に対する係合突起の係合が解除されて火力調節レバーの先端からつまみ部材を取りはずることができる。また、コンロ装置の日常の使用時においても、前面パネルを掃除する際につまみ部材が邪魔になると、使用者が頻繁につまみ部材を火力調節レバーの先端に対して着脱する場合もある。
【先行技術文献】
【特許文献】
【０００４】
【特許文献１】特開平８−２８５２７９号公報（図６，図７）
【発明の概要】
【発明が解決しようとする課題】
【０００５】
上述のように、従来の火力調節レバーは金属製であるため、つまみ部材を着脱する際に、つまみ部材側の係合突起が係合穴の周縁で削られ、着脱を繰り返すと、火力調節時などにつまみ部材が火力調節レバーの先端から外れるおそれが生じる。
【０００６】
一方、火力調節レバーを樹脂で形成すれば、このような不具合を解消することができるが、例えば火力調節レバーの先端に上下方向に撓むことができる片持ち梁状の係合片を、揺動中心側から先端側に向かって設け、その係合片の下面に係合突起を設けた場合、火力調節操作中につまみ部材が外れやすいという不具合が生じるおそれがある。
【０００７】
図５を参照して、火力調節レバー１００の先端に枠部１０１を設け、その枠部１０１内に、揺動中心側から先端側に向かう係合片１０２を設け、その係合片１０２の先端の下面に係合突起１０３を設けた場合、火力調節操作中につまみ部材に下向きの力を作用させると、その力によって枠部１０１が下方に撓むことになる。たわみ量は揺動中心から先端に向かって大きくなるので、係合突起１０３が形成されている付近では、枠部１０１が大きく下方に撓み、係合突起１０３よりも下方に撓むおそれがある。係合突起１０３が枠部１０１より下方に突出しているから、つまみ部材の係合穴に係合するので、枠部材１０１の方が下方に撓むと、係合突起１０３がつまみ部材から外れて、つまみ部材は容易に火力調節レバー１００から外れてしまうことになる。
【０００８】
そこで本発明は、上記の問題点に鑑み、火力調節操作中につまみ部材に下向きの力が作用しても、つまみ部材が火力調節レバーから外れにくい火力調節装置を提供することを課題とする。
【課題を解決するための手段】
【０００９】
上記課題を解決するために本発明による火力調節装置は、左右方向に揺動することによりガスバーナの火力を調節する火力調節レバーを備え、その火力調節レバーの先端につまみ部材が装着された火力調節装置において、上記火力調節レバーを樹脂で形成し、その火力調節レバーの先端に、先端側から揺動中心に向かって延びる片持ち梁状の係合片を、上下方向に撓むように設けると共に、その係合片の先端の下面に係合突起を形成し、火力調節レバーの先端に上記つまみ部材を装着した状態で、つまみ部材に形成した係合穴にこの係合突起が係合して、つまみ部材が火力調節レバーの先端から脱落しないように構成したことを特徴とする。
【００１０】
係合片を、先端側から揺動中心に向かって延びるように形成することによって、係合突起を、先端から揺動中心側に偏位した位置に設けることができる。そのため、係合突起が形成されている位置の変位量を火力調節レバーの先端の変位量より小さくすることができるので、係合突起とつまみ部材の係合穴との係合が解除されにくい。
【００１１】
なお、係合突起を、つまみ部材の抜き差し方向に各々斜面を有する台形形状にすると、火力調節レバーに対してつまみ部材の横方向のガタが生じやすい。これに対して、上記係合突起は側面がテーパ面で構成され、火力調節レバーの先端につまみ部材を装着した状態で、上記係合片の復元力によって係合突起のテーパ面が係合穴の周縁に押接させるように構成すると、つまみ部材の抜き差し方向および左右方向のガタを解消することができる。
【００１２】
なお、火力調節レバーの先端の、つまみ部材によって覆われる範囲の全域にわたる枠部を形成してその枠部内に係合片を形成すると、枠部の前後方向の寸法が長くなり、枠部の変位量が大きくなる。そこで、上記火力調節レバーの先端の、つまみ部材によって覆われる範囲の内、揺動中心側に枠部を設け、その枠部内に上記係合片を設けることにより、枠部の変位量を減少させることが望ましい。
【発明の効果】
【００１３】
以上の説明から明らかなように、本発明は、火力調節操作中につまみ部材に下向きの力が作用しても、火力調節レバー側の係合突起がつまみ部材側の係合穴から外れにくいので、火力調節操作中に火力調節レバーからつまみ部材が不用意に脱落することを防止できる。
【図面の簡単な説明】
【００１４】
【図１】火力調節装置の外形を示す斜視図
【図２】火力調節レバーからつまみ部材を外した状態を示す図
【図３】火力調節レバーの先端の構成を示す図
【図４】火力調節レバーの断面とつまみ部材の断面とを示す図
【図５】本発明が解消する課題を有する構成を示す図
【発明を実施するための形態】
【００１５】
図１を参照して、１はコンロ装置に組み込まれる火力調節装置で有り、下部に形成したガスの導入部１１から内部にガスを導入し、ノズル１２から図外のガスバーナにガスを噴出するものである。このガスの噴出量は樹脂製の火力調節レバー１３を左右方向に揺動することによって行う。この火力調節レバー１３は火力調節装置１の本体上部に揺動自在に保持されており、手前側に位置する先端部にはつまみ部材２が装着されている。
【００１６】
図２から図４を参照して、火力調節レバー１３の先端には枠部１４が形成されており、その枠部１４からさらに先端側に延長部１５が形成されている。一方、つまみ部材２は内部が空洞になっており、火力調節レバー１３に装着する際には、これら枠部１４と延長部１５とを覆うように装着する。
【００１７】
枠部１４内には、先端部側から揺動中心Ａ側に向かって片持ち梁状の係合片１６が形成されている。この係合片１６は断面が横方向に長手の長方形をしており、従って、上下方向に弾性的に撓むことができる。また、係合片１６の先端の下面には円錐台形状の係合突起１７が形成されている。なお、係合突起１７は円錐台形状であるから、側面はテーパ面になっている。
【００１８】
一方、つまみ部材２の下面には係合穴２１が形成されており、つまみ部材２を火力調節レバー１３に装着する際、つまみ部材２を先端側から揺動中心Ａに向かって押し進めると、係合片１６が上方に反り、さらにつまみ部材２を進めると、係合穴２１に係合突起１７が嵌入する。その際、係合片１６は完全に元の水平な状態に戻るのではなく、若干上方への反りを残した状態になるように、係合突起１７及び係合穴２１の直径を設定する。これによって、係合突起１７は係合穴２１の周縁に押接されるので、係合穴２１は係合突起１７に対して水平方向の全方向に対してがたつくことなく係合する。また、延長部１５がつまみ部材２の奥でつまみ部材２に保持されるように構成しておけば、延長部１５と係合突起１７とのスパンでつまみ部材２が保持されることになるので、さらにがたつきを防止することができる。
【００１９】
そして、上記構成であれば、火力調節操作中において、つまみ部材２に下向きの力が作用し、枠部１４及び延長部１５が下方に撓んでも、係合突起１７は延長部１５よりも揺動中心側に位置しているのでたわみ量が少なく、係合突起１７が係合穴２１から外れることはない。
【００２０】
なお、本発明は上記した形態に限定されるものではなく、本発明の要旨を逸脱しない範囲内において種々の変更を加えてもかまわない。
【符号の説明】
【００２１】
１ 火力調節装置
２ つまみ部材
１３ 火力調節レバー
１４ 枠部
１５ 延長部
１６ 係合片
１７ 係合突起
２１ 係合穴
【図１】
0005963812.tif 000002
【図２】
0005963812.tif 000003
【図３】
0005963812.tif 000004
【図４】
0005963812.tif 000005
【図５】
0005963812.tif 000006